(57)【要約】      （修正有）【課題】近時多発している、タクシー運転手が夜間、客に後ろから首をナイフで切られる事件に鑑み、鋭利なナイフ等にもネックを有効に保護できる安価なネックプロテクターを提供する。【解決手段】プロテクター１の形状は、帯状であるがまっすぐではなく全体として湾曲している。また構造は、織布又は不織布で形成された袋２本体にプラスチック薄板３を収納し、該袋を縫合して閉じたものである。そして、袋２の両端には雌雄の面ファスナー４が配置されており端部同士を連結できるように構成する。プロテクター１は、面ファスナー４が首の後ろ側に位置するよう設計されており、プラスチック薄板３は、首の前部分及び左右両側部分を保護する。【選択図】図１
0003150828.tif 000002
【実用新案登録請求の範囲】
【請求項１】
全体として湾曲した帯状であり、織布又は不織布で形成された袋本体にプラスチック薄板が収納され、両端部に固定具が固着されていることを特徴とするネックプロテクター。
【請求項２】
該固定具は面ファスナーである請求項１記載のネックプロテクター。
【請求項３】
該固定具はホックである請求項１記載のネックプロテクター。
【請求項４】
該プラスチック薄板はポリカーボネートの板であり、厚みが０．５〜２ｍｍである請求項１乃至３記載のネックプロテクター。
【請求項５】
該袋本体を毛糸で構成し、防寒機能を持たせたものである請求項１乃至４記載のネックプロテクター。
【考案の詳細な説明】
【技術分野】
【０００１】
本考案は、ネックプロテクターに関するものである。
【背景技術】
【０００２】
ネックプロテクターとは、首に巻いて首を保護するものである。
最近、タクシー運転手が夜間、客に後ろから首をナイフで切られる事件が多発している。タクシーの運転手は、後ろからの危害に対しては無防備であり、特に首は太い血管が通過し、ナイフ等で切られると大変なことになる。
【０００３】
これを防止するため、タクシーの前席と後席との間に透明な仕切り板を設けることも行われている。しかし、これは高価であり、且つ助手席に乗った者に対しては効果がない。
【０００４】
タクシーのドライバーばかりでなく、暴力に対する保護という面では警察官も同様である。また、山に入る人にとっても斜面を落下した場合にも首を保護していれば大きな怪我にならないことが多い。
【０００５】
首を保護する目的で従来のマフラー等を利用しても、鋭利なナイフ等ではほとんど役にはたたない。特に先端で突き刺された場合には全く防御できない。
【考案の概要】
【考案が解決しようとする課題】
【０００６】
そこで、本考案では、ネックを有効に保護できるネックプロテクターを提供する。
【課題を解決するための手段】
【０００７】
以上のような状況に鑑み、本考案者は鋭意研究の結果本考案ネックプロテクターを完成したものであり、その特徴とするところは、全体として湾曲した帯状であり、織布又は不織布で形成された袋本体にプラスチック薄板が収納され、両端部に固定具が固着されている点にある。
【０００８】
本考案でいうネックプロテクターとは、首に巻き付けて使用するもので、顔や胸まで覆うものではない。
【０００９】
全体形状は、薄い膜状（従来のマフラーと同様）で、従来の平面視矩形ではなく、湾曲した形状である。これが本考案の第１のポイントである。湾曲した形状とは、円盤の真ん中をくり抜き、周囲を残したドーナツ型のものの一部に近い形状である。そして、その両端は先細り状に形成している。
【００１０】
このような形状にしているため、内側円弧部を下にして首に巻き付けた場合、首に適合し、スムーズにカバーできることになる。
【００１１】
この本体は、袋として形成され、中にプラスチック薄板が挿入されている。本体の生地は、特別なものである必要はない。但し、皮膚に直接触れる可能性が高いので、吸汗性に優れた素材、例えばデニムのような織物が好ましい。袋状といっても、少なくともプラスチック薄板が入ればよく、全体として袋でなくてもよい。
【００１２】
この本体は、防寒を兼ねるように毛糸等でカバーをしてもよい。また、毛糸等で製造してもよい。
【００１３】
プラスチック薄板は本体袋部分に格納されるが、袋一杯に収まるものである必要はない。首の動きを大きく阻害することが無く、しかも高い防刃効果が期待できる形状のものを採用すれば良い。
【００１４】
プラスチックとしては、ある程度の厚み（０．５ｍｍ以上）があればどのようなものでも一定の効果はある。しかし、ポリカーボネート樹脂の柔軟タイプで、厚みが０．５〜１．０ｍｍのものが最もよかった。防刃効果と装用感、行動の容易性からの総合判断である。
【００１５】
両端部に設けた固定具は、面ファスナー、ホック、ボタン、鍵フック等どのようなものでもよい。装着する人の首のサイズによって固定位置を変更できるようにしてもよい。例えば、面積の大きな面ファスナーにする、ホックやボタンを複数の位置に設ける等によって可能である。
【００１６】
固定の方法は、本体先端部の一端表側と他端裏側が接合するパターンでも、本体先端部の両端裏側同士を円周から放射状に突出させて接合するパターンでもよい。
【考案の効果】
【００１７】
本考案には次のような大きな利点がある。
（１）  首に巻くだけで、刃物による暴力に対する大きな防御になる。
（２）  タクシードライバー等は安心して暗い所にも行ける。犯人が後ろから刃物で切りつけても、首が保護されていれば一撃で致命傷となることはまず考えにくい。
（３）  プラスチック薄板があるため、千枚通しのようなものに対しても大きな効果がある。
【図面の簡単な説明】
【００１８】
【図１】本考案に係るネックプロテクターの一例を示す斜視図である。
【図２】図１で示したプロテクターの使用状態の一例を示す概略側面図である。
【考案を実施するための最良の形態】
【００１９】
以下実施の形態に基づいて、本考案をより詳細に説明する。
図１は、本考案に係るネックプロテクター１（以下本考案プロテクター１という）の一例を示すものである。図より明らかなように本考案プロテクター１の形状は、帯状であるがまっすぐではなく全体として湾曲している。また構造は、織布又は不織布で形成された袋２本体にプラスチック薄板３を収納し、該袋を縫合して閉じたものである。そして、袋２の両端には雌雄の面ファスナー４が配置されており端部同士を連結できるよう構成されている。
【００２０】
図２は、図１で示した本考案プロテクター１の面ファスナー４を結合した状態を示すものである。面ファスナー以外に、ホック、ボタン、鍵フック等どのようなものでも代用可能であり、使用状況やデザイン性によって適宜選択すれば良い。本考案者が試作実験した限りにおいては面ファスナーを用いる連結方法は、着脱が容易である、サイズ調整が容易でありほぼフリーサイズ化できる、軽量である、等々の利点があり最適であった。
【００２１】
本例の本考案プロテクター１では、面ファスナー４が首の後ろ側に位置するよう設計されており、且つまた、プラスチック薄板３は本体全面を覆っているわけではないので、首の前部分及び左右両側部分についてはプラスチック薄板３で保護されており、後ろ側にはプラスチック薄板３が存在しない部分が存在することとなる。これは、タクシードライバーの頭部はシートのヘッドレストあるのが基本であるから防刃機能の要求度が小さいゾーンであること、硬いプラスチック板を介して頭部をヘッドレストに接触させて運転をするのは装用感という点で好ましくないこと、を理由とするものである。特に近時は、ヘッドレスト位置に遮蔽板を装備したタクシーが増加しており、この傾向は益々強い。しかし、本考案プロテクター１はタクシードライバー専用品というわけではなく、防刃対策を首の後ろ側にも施す必要があるという場合もあり得る。その場合には、当然その要求に沿った構造を採用すべきである。
【００２２】
更に、袋２の材質として綿織物を用いたが、これ以外の材質も勿論採用可能である。例えば冬期であれば、毛糸を編んだものやフェルトなどを用いると暖かであるし、想定する加害者への視覚的抑止力を得るという意味で、皮革（人工、天然を問わない）も好ましい。
【００２３】
袋２内に収納されるプラスチック薄板３は、本例の場合厚さ１．０ｍｍのポリカーボネート板であって、全体形状が湾曲した帯状である袋２に収納されるので相応の湾曲形状を呈するものであるが更に、両端部が狭く構成されて全体として、三日月形状となっている。端部を狭くしたのは、装用感を良好なものとするためであるが、防刃効果に関して言えばプラスチック薄板３は広ければ広い程好ましいので、防刃効果と装用感、行動の容易性といったことを勘案して設計するのが好ましい。
【符号の説明】
【００２４】
１    本考案に係るネックプロテクター
２    袋
３    プラスチック薄板
４    面ファスナー
【図１】
0003150828.tif 000003
【図２】
0003150828.tif 000004
【手続補正書】
【提出日】平成21年4月1日(2009.4.1)
【手続補正１】
【補正対象書類名】実用新案登録請求の範囲
【補正対象項目名】請求項４
【補正方法】変更
【補正の内容】
【請求項４】
該プラスチック薄板はポリカーボネートの板であり、厚みが０．５〜２ｍｍである請求項１乃至３のいずれか１項に記載のネックプロテクター。
【手続補正２】
【補正対象書類名】実用新案登録請求の範囲
【補正対象項目名】請求項５
【補正方法】変更
【補正の内容】
【請求項５】
該袋本体を毛糸で構成し、防寒機能を持たせたものである請求項１乃至４のいずれか１項に記載のネックプロテクター。